【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
計算機においてコンピュータ実行可能な命令の実行により実現される方法であって、
前記計算機の１又は複数のプロセッサが、第三者のウェブサイトを通じて、ユーザによって提出されている認証情報を受け取るステップと、
前記計算機の前記１又は複数のプロセッサが、前記受け取られた認証情報を用いて、アカウント・ストレージ・デバイスにおける個人アカウントにアクセスするステップであって、前記個人アカウントは、前記ユーザと関連すると共に、前記ユーザのサイコグラフィック情報と前記ユーザの当該個人アカウントと関連する知人連絡先（コンタクト）リストと前記ユーザのインスタント・メッセージング・アカウントとを含む、ステップと、
前記計算機の前記１又は複数のプロセッサが、前記ユーザが前記第三者のウェブサイトにおいて前記個人アカウントと相互作用状態にある間に、前記ユーザの習慣に関するデータを収集するステップと、
前記収集されたデータに基づいて前記ユーザの個人アカウントと関連するサイコグラフィック情報を増加させるステップであって、前記収集されたデータを送信して前記アカウント・ストレージ・デバイスに記憶することを含む、ステップと、
前記計算機の前記１又は複数のプロセッサが、前記第三者のウェブサイトにおいて前記ユーザに広告情報を提示するステップであって、前記広告情報は、前記ユーザの個人アカウントと関連するサイコグラフィック情報に少なくとも部分的に基づいて前記ユーザを目標とする、ステップと、
を含み、前記広告情報を提示するステップは、
前記ユーザのインスタント・メッセージング・アカウントの知人連絡先リストに含まれサインオンしている１又は複数の知人を含む所在情報を表示するステップと、
前記１又は複数の知人の中の特定の知人と関連する最近の更新された活動情報を示すマーカを表示するステップであって、前記活動情報は前記特定の知人が現在関係している１又は複数の活動を含む、ステップと、
前記１又は複数のサインオンしている知人とのユーザ相互作用を受け取るステップであって、前記ユーザ相互作用は前記１又は複数のサインオンしている知人を新たなウェブページに招待することを含む、ステップと、
を含む、方法。
【請求項２】
請求項１記載の方法において、前記認証情報を受け取るステップは、前記第三者のウェブサイトにおいて前記ユーザに提供された認証制御を通じてユーザから前記認証情報を受け取るステップを含む、方法。
【請求項３】
請求項１記載の方法において、前記個人アカウントにアクセスするステップは、前記ユーザと関連する電子メール・アカウントから情報を読み出すステップを含む、方法。
【請求項４】
請求項１記載の方法において、前記広告情報を提示するステップは、前記第三者のウェブサイトにおけるプレゼンテーション制御手段において前記広告情報を表示するステップを更に含む、方法。
【請求項５】
請求項１記載の方法において、前記広告情報を提示するステップは、前記ユーザの個人アカウントと関連する情報を前記ユーザが見ることを可能にするステップを含む、方法。
【請求項６】
請求項１記載の方法において、前記相互作用は、
前記第三者のウェブサイトにおける情報を前記知人連絡先リストの中の１又は複数の知人に送信するステップと、
前記知人連絡先リストにおける知人の所在情報を提示するステップと、
の中の一方又は両方を更に含む、方法。
【請求項７】
請求項１記載の方法であって、前記ユーザの習慣に関するデータは、
前記ユーザによって訪問されたウェブ・リンクと、
前記ユーザによって行われたサーチと、
前記ユーザによって読まれた記事と、
前記ユーザが前記第三者のウェブサイトを訪問したときの滞在時間と、
前記ユーザの購入履歴と、
前記ユーザのダウンロード履歴と、
の中の少なくとも１つを含む、方法。
【請求項８】
コンピュータ可読な命令の集合が記憶されているコンピュータ可読媒体であって、前記命令の集合は、１又は複数のプロセッサを有する計算機において実行されると、前記計算機に、
第三者のウェブサイトにおける認証制御手段にユーザによって入力された認証情報を受け取るステップと、
前記認証情報を用いて個人アカウントにアクセスするステップであって、前記個人アカウントは、前記ユーザと関連すると共に、前記ユーザのサイコグラフィック情報と前記ユーザのインスタント・メッセージング・アカウントとを含む、ステップと、
前記ユーザが前記第三者のウェブサイトにおいて前記個人アカウントと相互作用関係にある間に、前記ユーザの習慣に関するデータを前記個人アカウントの前記サイコグラフィック情報の中に収集するステップと、
前記ユーザの個人アカウントと関連するサイコグラフィック情報に基づいて前記第三者のウェブサイトにおいて前記ユーザを目標とする広告情報を提示することを可能にするステップであって、
前記インスタント・メッセージング・アカウントの知人連絡先リストに含まれサインオンしている１又は複数の知人を含む所在情報を表示するステップと、
前記１又は複数の知人の中の特定の知人と関連する最近の更新された活動情報を示すマーカを表示するステップであって、前記活動情報は前記特定の知人が現在関係している１又は複数の活動を含む、ステップと、
前記１又は複数のサインオンしている知人に、前記最近の更新された活動情報に少なくとも部分的に基づいて、前記広告情報への招待を送るステップと、
を含むステップと、
を実行させるように構成されている、コンピュータ可読媒体。
【請求項９】
請求項８記載のコンピュータ可読媒体において、前記命令の集合は、前記１又は複数のプロセッサを有する計算機において実行されると、前記個人アカウントと関連するユーザ名とパスワードとを前記第三者のウェブサイトにおける認証制御手段の中にユーザが入力することを可能にするステップを更に含むステップを前記計算機に実行させる、コンピュータ可読媒体。
【請求項１０】
請求項８記載のコンピュータ可読媒体において、前記ユーザの習慣に関するデータは、
前記ユーザによって訪問されたウェブ・リンクと、
前記ユーザによって行われたサーチと、
前記ユーザによって読まれた記事と、
前記ユーザが前記第三者のウェブサイトを訪問したときの滞在時間と、
前記ユーザの購入履歴と、
前記ユーザのダウンロード履歴と、
の中の少なくとも１つを含む、コンピュータ可読媒体。
【請求項１１】
請求項８記載のコンピュータ可読媒体において、前記命令の集合は、前記１又は複数のプロセッサを有する計算機において実行されると、前記第三者のウェブサイトにおける情報を前記個人アカウントにおける知人連絡先リストに含まれる知人に前記ユーザが送ることを可能にするステップを更に含むステップを前記計算機に実行させる、コンピュータ可読媒体。
【請求項１２】
請求項８記載のコンピュータ可読媒体において、前記命令の集合は、前記１又は複数のプロセッサを有する計算機において実行されると、他のどのウェブサイトよりも前記個人アカウントにおける知人連絡先に含まれる多くの知人によって訪問されているウェブサイトを指示するステップを更に含むステップを前記計算機に実行させる、コンピュータ可読媒体。
【請求項１３】
装置であって、
プロセッサと、
前記プロセッサと通信可能な態様で結合されており、コンピュータ実行可能な複数の命令が記憶されているメモリであって、前記複数の命令は、この装置において実行されると、前記プロセッサに、
第三者のウェブサイトと関連するウェブページにおける認証制御手段にユーザによって入力された認証情報にアクセスするように構成された認証モジュールと、
プレゼンテーション・モジュールであって、
前記ユーザの認証情報と関連すると共に前記ユーザのインスタント・メッセージング・アカウントを含む個人アカウントが存在するアカウント・ストレージにアクセスし、
前記ユーザが前記個人アカウントと相互作用している間に、前記認証情報に基づいて、前記個人アカウントから、前記ユーザの習慣に関するユーザの過去の行動を含む情報にアクセスし、
前記ユーザと関連する個人アカウントの情報に基づいて広告情報を提示することによって前記ユーザに目標とし、
前記インスタント・メッセージング・アカウントの知人連絡先リストに含まれる１又は複数の知人のオンライン状態を含む所在情報を表示し、
前記１又は複数の知人の中の特定の知人と関連する最近の更新された活動情報であって前記特定の知人が現在関係している１又は複数の活動を含む活動状況を示すマーカを表示し、
前記１又は複数のオンライン状態にある知人に、前記最近の更新された活動情報に少なくとも部分的に基づいて、前記広告情報への招待を送る、
ように構成されたプレゼンテーション・モジュールと、
を含む、装置。
【請求項１４】
請求項１３記載の装置において、前記認証モジュールは前記個人アカウントを制御するエンティティによって制御される、装置。
【請求項１５】
請求項１３記載の装置において、前記認証モジュールは更に前記ウェブページ上の認証制御手段において１又は複数のフィールドを提示するように構成され、前記１又は複数のフィールドは前記ユーザによる前記認証情報の入力を可能にするように構成されている、装置。
【請求項１６】
請求項１３記載の装置において、前記認証モジュールは、更に、前記ユーザが認証情報を提供する代わりに前記第三者のウェブサイトに関する機能の増大を前記ユーザに提供するように構成されている、装置。
【請求項１７】
請求項１３記載の装置において、前記プレゼンテーション・モジュールは、更に、前記ユーザと前記ウェブページとの間の１又は複数の相互作用に関する情報を前記個人アカウントを制御するエンティティに送信するように構成されている、装置。
【請求項１８】
請求項１７記載の装置において、前記プレゼンテーション・モジュールによって提示される情報は前記個人アカウントと関連する情報を含む、装置。
【請求項１９】
請求項１３記載の装置において、前記プレゼンテーション・モジュールによって提示される情報は、前記個人アカウントと関連する情報に基づいて前記ユーザを目的とする１又は複数の広告を含む、装置。